(57)【要約】【課題】アイドリング振動等に対する防振効果を有効に発揮しつつ、パワーユニットの振れ回り振動に対しても有効な防振効果を発揮することの出来る、新規な構造のパワーユニットの支持構造を提供すること。【解決手段】パワーユニット１２における車両後方に配設されるリア側マウント２４として、内部に封入された非圧縮性流体の流動作用に基づく振動減衰効果を発揮する流体封入式防振装置２５を用い、該非圧縮性流体の流動作用に基づく振動減衰効果が車両前後方向の振動入力に対して発揮されるようにした。【選択図】図１
2010006339.tif 000002
【特許請求の範囲】
【請求項１】
ＦＲ型縦置きエンジン形式の自動車のパワーユニットを車両前方の２箇所と車両後方の１箇所でそれぞれエンジンマウントを介して車両ボデーに対して防振支持するパワーユニットの支持構造において、
前記３箇所に配設されるエンジンマウントのうち前記車両後方に配設されるリア側マウントとして、内部に封入された非圧縮性流体の流動作用に基づく振動減衰効果を発揮する流体封入式防振装置を用い、該非圧縮性流体の流動作用に基づく振動減衰効果が車両前後方向の振動入力に対して発揮されるようにしたことを特徴とするパワーユニットの支持構造。
【請求項２】
前記パワーユニット側および前記車両ボデー側の何れか一方に取り付けられる第一の取付部材と、該パワーユニット側および該車両ボデー側の他方に取り付けられる第二の取付部材とを本体ゴム弾性体で連結すると共に、該本体ゴム弾性体で壁部の一部が構成されて非圧縮流体が封入された複数の流体室を設け、それら複数の流体室を相互に連通する第一のオリフィス通路を設けることによって、該第一のオリフィス通路を通じての非圧縮性流体の流動作用に基づいて振動減衰効果を発揮する第一の流体封入式防振装置を構成し、該第一の流体封入式防振装置を前記リア側エンジンマウントに採用した請求項１に記載のパワーユニットの支持構造。
【請求項３】
前記第一の流体封入式防振装置において前記流体室の壁部を構成する前記本体ゴム弾性体が、前記パワーユニットの支持状態において前記流体室を挟んだ車両上下方向で対称形状とされている請求項２に記載のパワーユニットの支持構造。
【請求項４】
ロッド形状を有する前記第一の取付部材の外周側に筒形状を有する前記第二の取付部材を所定距離を隔てて配設し、これら第一の取付部材と第二の取付部材とを前記本体ゴム弾性体で連結すると共に、前記流体室を該第二の取付部材の周方向で該第一の取付部材の周りに複数設けて、それら複数の流体室の少なくとも一対を前記第一のオリフィス通路で相互に連通して前記第一の流体封入式防振装置を構成すると共に、該第一のオリフィス通路で相互に連通された流体室が、該第一の取付部材を挟んで車両前後方向で対向するように前記リア側エンジンマウントを配設した請求項２又は３に記載のパワーユニットの支持構造。
【請求項５】
車両上下方向の振動入力時に前記本体ゴム弾性体の弾性変形に基づいて圧力変動が惹起される受圧室と、壁部の一部が可撓性膜で形成されて容積変化が許容される平衡室とを形成して、それら受圧室と平衡室に非圧縮性流体を封入すると共に、該受圧室と該平衡室を相互に連通する第二のオリフィス通路を設けて第二の流体封入式防振装置を構成し、該第二の流体封入式防振装置を前記リア側エンジンマウントに採用した請求項２乃至４の何れか一項に記載のパワーユニットの支持構造。
【請求項６】
前記リア側エンジンマウントにおいて、前記第一のオリフィス通路で連通される前記複数の流体室と、前記第二のオリフィス通路で連通される前記受圧室および前記平衡室とが、相互に独立して形成されており、これら第一のオリフィス通路および第二のオリフィス通路において、車両前後方向の振動入力時には該第一のオリフィス通路にだけ有効な流体流動が生ぜしめられると共に、車両上下方向の振動入力時には該第二のオリフィス通路にだけ有効な流体流動が生ぜしめられるようになっている請求項５に記載のパワーユニットの支持構造。
【請求項７】
第一の入力部材を筒状の第二の入力部材の一方の開口部側に離隔配置せしめて該第一の入力部材と該第二の入力部材を連結ゴム弾性体で連結すると共に、該第二の入力部材の他方の開口部側を前記可撓性膜で閉塞させて、それら連結ゴム弾性体と可撓性膜の対向面間に非圧縮性流体の封入領域を画成する一方、該第二の入力部材で支持された仕切部材で該非圧縮性流体の封入領域を二分せしめて、該連結ゴム弾性体で壁部の一部が構成された受圧室と該可撓性膜で壁部の一部が構成された平衡室を形成すると共に、それら受圧室と平衡室を相互に連通する第二のオリフィス通路を形成することにより前記第二の流体封入式防振装置を構成し、該第一の入力部材を前記第一の流体封入式防振装置の前記第一の取付部材に取り付けると共に、該第二の入力部材を前記第一の流体封入式防振装置の前記第二の取付部材に取り付けて前記リア側エンジンマウントを構成した請求項６に記載のパワーユニットの支持構造。
【発明の詳細な説明】
【技術分野】
【０００１】
本発明は、自動車のパワーユニットを車両ボデーに対して防振支持するパワーユニットの支持構造に関し、特に、パワーユニットの振れ回り振動に対して有効な防振効果を発揮し得るパワーユニットの支持構造に関するものである。
【背景技術】
【０００２】
良く知られているように、自動車において、エンジンやトランスミッション等を一体的に構成したパワーユニットは、車両ボデーへの振動伝達を軽減するために複数箇所でエンジンマウントを介して車両ボデーに防振支持されている。特にＦＲ（フロントエンジン・リアドライブ）車の縦置きエンジンでは、パワーユニットの前後方向寸法が車幅方向寸法に比して大きく、且つ車両前方に位置するパワーユニット重量が車両後方に位置するトランスミッション重量に比して大きい。それ故、一般に、車両前方の２箇所と車両後方の１箇所の合計３箇所で、パワーユニットが車両ボデーに対してエンジンマウントを介して防振支持されている。
【０００３】
ところで、特に車両前後方向で縦長に配設されたパワーユニットでは、前方に揺動中心をもってパワーユニット後部がみそすり運動状に変位する振れ回り振動の問題が指摘されている。この振れ回り振動は、路面入力やクランキング入力等を起振力としてパワーユニットが振動せしめられる剛体振動であり、パワーユニットの前後方向の重量配分に対応してパワーユニットの前方に比して後方の支持ばね剛性が小さくされていること等による。一般に、１０Ｈｚ前後の低い周波数域での大振幅振動として発生することから、従来構造のリア側エンジンマウントでは、かかる振れ回り振動に対して十分な防振効果を得ることが困難であった。
【０００４】
そこで、例えば特許文献１には、流体が封入された複数の流体室を連通するオリフィス通路を有する流体封入式防振装置をリア側エンジンマウントとして採用することが提案されている。この特許文献１は、流体封入式防振装置を、流体の流動作用に基づく振動減衰効果が車両左右方向の振動入力に対して発揮されるように配設したパワーユニットの支持構造を開示している。かかる構造に従えば、特にエンジンの始動時や停止時におけるパワーユニットのロール方向の低周波振動（クランク振動）を低減することが出来るとされており、同じく低周波振動である振れ回り振動に対しても有効な防振効果を発揮し得るようにも思える。
【０００５】
しかし、クランク振動よりもやや高い周波数を有するアイドリング振動も、ロール方向の振動であることが知られている。このアイドリング振動に対する防振性能も、自動車において重要視される防振性能なのである。また、オリフィス通路によって発揮される防振効果は、オリフィス通路がチューニングされた比較的に狭い周波数域だけで有効であり、チューニング周波数域よりも高い周波数域の振動に対しては、オリフィス通路が実質的に閉塞状態となって著しい高動ばね化を招き、十分な防振効果が得られなくなることも周知の事実である。
【０００６】
それ故、特許文献１に記載のパワーユニットの支持構造においては、リア側エンジンマウントのオリフィス通路をクランク振動の周波数にチューニングすることが出来、それによって振れ回り振動に対する防振性能の向上も期待できると考えられる。しかしながら、そのようなチューニングをすると、同じロール方向でクランク振動よりやや高周波数域のアイドリング振動が入力された場合には、著しい高動ばね化を招いてしまい、アイドリング振動に対する防振性能が著しく低下してしまうという問題が避けられない。従って、特許文献１に記載の発明は、アイドリング振動に対する防振性能が重要視される現状下、到底、実用性は認められない。
【０００７】
【特許文献１】特開平１１−１９０３８３号公報
【発明の開示】
【発明が解決しようとする課題】
【０００８】
ここにおいて、本発明は上述の如き事情を背景として為されたものであって、その解決課題とするところは、アイドリング振動等に対する防振効果を有効に発揮しつつ、パワーユニットの振れ回り振動に対しても有効な防振効果を発揮することの出来る、新規な構造のパワーユニットの支持構造を提供することにある。
【課題を解決するための手段】
【０００９】
上述の如き問題に対して、本発明者は、アイドリング振動は車両前後方向の振幅を殆ど有さないのに対して、振れ回り振動は、車両前後方向にも振幅を有することに着目した。即ち、アイドリング振動は、パワーユニットのロールの慣性主軸を中心とした小振幅振動であって、パワーユニットの全体がロールの慣性主軸回りに動くことから車両前後方向の振幅は殆ど有さない。これに対して、振れ回り振動の場合には、前述のとおり、パワーユニットの車両前方が２箇所で支持されていると共にエンジンの重量が大きいことから支持ばね剛性が大きくされて振動振幅が小さいものの、分担荷重が小さくて支持ばね剛性が小さいパワーユニットの車両後方で大きな振動振幅を呈することとなる。要するに、アイドリング振動と振れ回り振動とは、その振動モード（振動態様）が大きく相違することに着目したのであり、特にパワーユニットの車両後方部分における両者の振動振幅が大きく異なることに着目した。即ち、振れ回り振動では、パワーユニットの車両後方が大きく振れ回り、パワーユニットの車両後方の変位が車両前後方向成分を無視できない大きさで有することとなる。例えば、車両の左右方向視を想定すると、振れ回り振動の如き大振幅振動では、車両前後方向に並進運動を伴って車両上下方向に延びる弧状に大きく振動変位することから、車両前後方向にも有効な振幅を有することとなるのである。
【００１０】
このように、本発明者は、アイドリング振動は車両前後方向の振幅を殆ど有さない振動であるのに対して、振れ回り振動は車両前後方向の振幅をも有する振動であるという違いに新たに着目し、本発明を完成するに至ったものである。
【００１１】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１２】
すなわち、本発明の第一の態様は、ＦＲ型縦置きエンジン形式の自動車のパワーユニットを車両前方の２箇所と車両後方の１箇所でそれぞれエンジンマウントを介して車両ボデーに対して防振支持するパワーユニットの支持構造において、前記３箇所に配設されるエンジンマウントのうち前記車両後方に配設されるリア側マウントとして、内部に封入された非圧縮性流体の流動作用に基づく振動減衰効果を発揮する流体封入式防振装置を用い、該非圧縮性流体の流動作用に基づく振動減衰効果が車両前後方向の振動入力に対して発揮されるようにしたことを、特徴とする。
【００１３】
本態様に従う構造とされたパワーユニットの支持構造によれば、車両前後方向の振動入力に対して、リア側マウントの非圧縮性流体の流動作用に基づく振動減衰効果が発揮される。そこにおいて、本態様の流体封入式防振装置は、振れ回り振動の周波数域である１０Ｈｚ前後の振動に対して有効な振動減衰効果が発揮されるように設定される。そして、前述のように、振れ回り振動は、パワーユニットの重心が車両前方に位置することから、車両前方を揺動中心として車両後方が振れ回り慣性主軸回りで円運動をするような、車両前後方向の並進運動を伴う大振幅振動であることから、大きく振れ回るパワーユニットの車両後方を支持するリア側マウントとして用いる流体封入式防振装置の振動減衰効果を、車両前後方向成分の振動入力に対して発揮せしめることによって、振れ回り振動に対する有効な防振効果を発揮することが出来る。
【００１４】
そして、特に本態様においては、流体封入式防振装置の高減衰効果が、車両前後方向の振動入力に対して発揮されることから、振れ回り振動よりも高い略２０Ｈｚ〜略４０Ｈｚ程度の周波数域を有するアイドリング振動が入力された場合には、アイドリング振動は車両前後方向成分を殆ど有さない小振幅振動であることから、流体封入式防振装置に著しい高動ばね化を招くことも回避され得る。これにより、本態様に従うパワーユニットの支持構造によれば、アイドリング振動に対する有効な防振効果を発揮しつつ、振れ回り振動の低減を図ることが出来る。
【００１５】
なお、本態様におけるＦＲ型とは、車両前方に配設されたエンジンの駆動力がトランスミッションで増減されて、車両前後方向に延びるプロペラシャフトを通じて後輪に伝達されるフロントエンジン・リアドライブ型の駆動方式をいう。また、縦置きエンジン形式とは、エンジンのクランクシャフトの軸方向が車両前後方向に配設されるものをいう。また、車両前方に配設されるフロントマウントとしては、従来公知のエンジンマウントが適宜に採用可能であり、好適には、従来公知の流体封入式防振装置が用いられる。
【００１６】
本発明の第二の態様は、前記第一の態様に係るパワーユニットの支持構造において、前記パワーユニット側および前記車両ボデー側の何れか一方に取り付けられる第一の取付部材と、該パワーユニット側および該車両ボデー側の他方に取り付けられる第二の取付部材とを本体ゴム弾性体で連結すると共に、該本体ゴム弾性体で壁部の一部が構成されて非圧縮流体が封入された複数の流体室を設け、それら複数の流体室を相互に連通する第一のオリフィス通路を設けることによって、該第一のオリフィス通路を通じての非圧縮性流体の流動作用に基づいて振動減衰効果を発揮する第一の流体封入式防振装置を構成し、該第一の流体封入式防振装置を前記リア側エンジンマウントに採用したことを、特徴とする。
【００１７】
本態様によれば、第一の取付部材と第二の取付部材の間に振動が入力された場合には、複数の流体室に相対的な圧力変動が惹起せしめられて、それら流体室を連通するオリフィス通路を流動せしめられる流体の共振作用等に基づいて、有効な振動減衰効果を発揮することが出来る。
【００１８】
本発明の第三の態様は、前記第二の態様に係るパワーユニットの支持構造において、前記第一の流体封入式防振装置において前記流体室の壁部を構成する前記本体ゴム弾性体が、前記パワーユニットの支持状態において前記流体室を挟んだ車両上下方向で対称形状とされていることを、特徴とする。
【００１９】
本態様によれば、振れ回り振動の如き車両前後方向成分を有する振動が入力された場合には、複数の流体室の相対的な容積変化が生ぜしめられて、第一のオリフィス通路を通じての流体流動が生ぜしめられる一方、アイドリング振動の如き車両上下方向の振動が入力された場合には、複数の流体室の相対的な容積変化が低減されることから、アイドリング振動入力時に第一のオリフィス通路内で流体流動が生ぜしめられることも回避され得て、アイドリング振動に対する防振効果をより安定して発揮することが出来る。
【００２０】
本発明の第四の態様は、前記第二又は第三の態様に係るパワーユニットの支持構造において、中実又は中空のロッド形状を有する前記第一の取付部材の外周側に筒形状を有する前記第二の取付部材を所定距離を隔てて配設し、これら第一の取付部材と第二の取付部材とを前記本体ゴム弾性体で連結すると共に、前記流体室を該第二の取付部材の周方向で該第一の取付部材の周りに複数設けて、それら複数の流体室の少なくとも一対を前記第一のオリフィス通路で相互に連通して前記第一の流体封入式防振装置を構成すると共に、該第一のオリフィス通路で相互に連通された流体室が、該第一の取付部材を挟んで車両前後方向で対向するように前記リア側エンジンマウントを配設したことを、特徴とする。
【００２１】
本態様によれば、第一の取付部材と第二の取付部材の間に車両前後方向の振動が入力された場合には、車両前後方向で第一の取付部材を挟んで配設された流体室間に相対的な圧力変動が惹起される。その結果、第一のオリフィス通路に流体流動が生ぜしめられて、有効な高減衰効果を得ることが出来る。これにより、車両前後方向成分を有する振れ回り振動に対する有効な防振効果を発揮することが出来る。
【００２２】
本発明の第五の態様は、前記第二乃至第四の何れか一つの態様に係るパワーユニットの支持構造において、車両上下方向の振動入力時に前記本体ゴム弾性体の弾性変形に基づいて圧力変動が惹起される受圧室と、壁部の一部が可撓性膜で形成されて容積変化が許容される平衡室とを形成して、それら受圧室と平衡室に非圧縮性流体を封入すると共に、該受圧室と該平衡室を相互に連通する第二のオリフィス通路を設けて第二の流体封入式防振装置を構成し、該第二の流体封入式防振装置を前記リア側エンジンマウントに採用したことを、特徴とする。
【００２３】
本態様によれば、車両上下方向の振動が入力された場合には、受圧室と平衡室の相対的な圧力変動が惹起される。その結果、第二のオリフィス通路に流体流動が生ぜしめられて、有効な高減衰効果が発揮される。これにより、車両上下方向の振動であるアイドリング振動に対して、第二のオリフィス通路による高減衰効果を発揮せしめることが出来て、アイドリング振動に対してより優れた防振効果を発揮することが出来る。
【００２４】
本発明の第六の態様は、前記第五の態様に係るパワーユニットの支持構造において、前記リア側エンジンマウントにおいて、前記第一のオリフィス通路で連通される前記複数の流体室と、前記第二のオリフィス通路で連通される前記受圧室および前記平衡室とが、相互に独立して形成されており、これら第一のオリフィス通路および第二のオリフィス通路において、車両前後方向の振動入力時には該第一のオリフィス通路にだけ有効な流体流動が生ぜしめられると共に、車両上下方向の振動入力時には該第二のオリフィス通路にだけ有効な流体流動が生ぜしめられるようになっていることを、特徴とする。
【００２５】
本態様によれば、第一のオリフィス通路による高減衰効果と第二のオリフィス通路による高減衰効果が互いに独立して発揮され得ることから、第一のオリフィス通路のチューニング周波数を振れ回り振動の周波数に設定すると共に、第二のオリフィス通路のチューニング周波数をアイドリング振動の周波数に設定することによって、振れ回り振動とアイドリング振動のそれぞれに対して有効な高減衰効果を互いに独立して安定して発揮することが出来る。
【００２６】
本発明の第七の態様は、前記第六の態様に係るパワーユニットの支持構造において、第一の入力部材を筒状の第二の入力部材の一方の開口部側に離隔配置せしめて該第一の入力部材と該第二の入力部材を連結ゴム弾性体で連結すると共に、該第二の入力部材の他方の開口部側を前記可撓性膜で閉塞させて、それら連結ゴム弾性体と可撓性膜の対向面間に非圧縮性流体の封入領域を画成する一方、該第二の入力部材で支持された仕切部材で該非圧縮性流体の封入領域を二分せしめて、該連結ゴム弾性体で壁部の一部が構成された受圧室と該可撓性膜で壁部の一部が構成された平衡室を形成すると共に、それら受圧室と平衡室を相互に連通する第二のオリフィス通路を形成することにより前記第二の流体封入式防振装置を構成し、該第一の入力部材を前記第一の流体封入式防振装置の前記第一の取付部材に取り付けると共に、該第二の入力部材を前記第一の流体封入式防振装置の前記第二の取付部材に取り付けて前記リア側エンジンマウントを構成したことを、特徴とする。
【００２７】
本態様によれば、第一の流体封入式防振装置における第一の取付部材と第二の取付部材の間に入力された振動を、第二の流体封入式防振装置における第一の入力部材と第二の入力部材の間に安定して伝達することが出来て、第二の流体封入式防振装置における受圧室と平衡室との相対的な圧力変動、延いてはそれによる高減衰効果を安定して発揮することが出来る。これにより、第一の流体封入式防振装置による振れ回り振動に対する高減衰効果と、第二の流体封入式防振装置によるアイドリング振動に対する高減衰効果を、何れも安定して発揮することが出来る。
【発明を実施するための最良の形態】
【００２８】
以下、本発明を更に具体的に明らかにするために、本発明の実施形態について、図面を参照しつつ、詳細に説明する。
【００２９】
先ず、図１に、本発明の第一の実施形態としてのパワーユニットの支持構造１０の全体側面図を概略的に示す。パワーユニット１２は、ＦＲ型自動車用のパワーユニットであり、内燃機関としてのエンジンユニット１４とギアボックスとしてのミッションユニット１６を含んで構成されて、エンジンユニット１４で発生した出力やトルクを、ミッションユニット１６の歯車列で車両走行に必要な出力やトルクに調節して出力軸（図示せず）に出力して、該出力軸からプロペラシャフト１８を通じて駆動輪としての後輪に回転駆動力を伝達するようになっている。
【００３０】
より詳細には、パワーユニット１２は、プロペラシャフト１８の延出方向が車両前後方向（図１中、左右方向）となるように車両前後方向で縦長に配設されており、エンジンユニット１４は、車両前方（図１中、左方）側に位置せしめられて、図示しないクランクシャフトの軸方向が車両前後方向となる縦置きに配置される。そして、車両の前方側に位置せしめられたエンジンユニット１４の左右両側が一対のフロントマウント２０を介して車両ボデーに設けられたフレーム２２に対して防振支持されていると共に、車両の後方側に位置せしめられたミッションユニット１６の左右方向中間部分がリア側マウントとしてのリアマウント２４を介してフレーム２２に対して防振支持されている。なお、図１においては、理解を容易とするために、リアマウント２４を縦断面で示す。これにより、パワーユニット１２は、車両前方側の２箇所と車両後方側の１箇所でそれぞれフロントマウント２０およびリアマウント２４で車両ボデーに対して防振支持されている。
【００３１】
図２乃至図４に、リアマウント２４を示す。リアマウント２４は、第一の流体封入式防振装置２５がブラケット３２に組み付けられて構成されている。第一の流体封入式防振装置２５は、第一の取付部材としてのインナ軸金具２６と第二の取付部材としてのアウタ筒金具２８が、互いに径方向に所定距離を隔てて配設されていると共に、それらの間に介装された本体ゴム弾性体３０によって連結された構造とされている。そして、リアマウント２４は、第一の流体封入式防振装置２５のインナ軸金具２６がパワーユニット１２のミッションユニット１６に固定されると共に、アウタ筒金具２８がブラケット３２を介してフレーム２２に固定されることによって、パワーユニット１２と車両ボデーの間に介装されるようになっている。かかる装着状態下、パワーユニット１２の分担支持荷重がインナ軸金具２６およびアウタ筒金具２８の軸方向に及ぼされるようになっており、防振すべき主たる振動は、インナ軸金具２６およびアウタ筒金具２８の軸直角方向に入力されるようになっている。なお、図２および後述する図５および図８においては、パワーユニット１２の分担支持荷重が及ぼされた状態を示す。また、以下の説明において、上下方向とは、特に断りのない限り、原則として図２中の上下方向を言うものとする。
【００３２】
インナ軸金具２６は、中実のロッド形状を有しており、その軸方向上端部が拡径されていると共に、軸方向下端部には、僅かに縮径されて軸方向に所定寸法に亘って延びる嵌合部３４が形成されている。そして、インナ軸金具２６は、中央に形成されたボルト孔３６を用いてパワーユニット１２のミッションユニット１６に固定的に取り付けられるようになっている。更に、インナ軸金具２６には、一体加硫成形品３８が外嵌固定されている。
【００３３】
一体加硫成形品３８は、小径円筒形状を有する内側スリーブ４０の外周側に、略大径円筒形状を有する中間スリーブ４２が径方向外方に離隔して内側スリーブ４０の周りを囲む状態で略同軸上に配設されると共に、これら内側スリーブ４０と中間スリーブ４２の間に本体ゴム弾性体３０が介装されて、本体ゴム弾性体３０によって弾性的に連結された構造とされている。本体ゴム弾性体３０は、厚肉の略円筒形状を有しており、その内周面が内側スリーブ４０の外周面に加硫接着されていると共に、その外周面が中間スリーブ４２の内周面に加硫接着されている。これにより、本体ゴム弾性体３０は、その内外周面に内側スリーブ４０と中間スリーブ４２がそれぞれ加硫接着された一体加硫成形品３８として形成されている。
【００３４】
かかる一体加硫成形品３８を構成する本体ゴム弾性体３０には、内側スリーブ４０を挟んだ径方向一方向（図４中、左右方向）で対向位置せしめられるようにして、一対のポケット部４４が形成されている。ポケット部４４は、本体ゴム弾性体３０の半周よりやや短い領域において、本体ゴム弾性体３０の外周面に凹所状に開口せしめられている。更に、本体ゴム弾性体３０は、パワーユニット１２の分担支持荷重が及ぼされた状態で、後述する流体室５２を挟んだ車両上下方向で略対称形状となるようにされている。
【００３５】
そして、本体ゴム弾性体３０の外周面に加硫接着される中間スリーブ４２は、内側スリーブ４０よりもやや大きな軸方向寸法を有する略円筒形状とされており、その軸方向中間部分が所定幅に亘って径方向内方に突出せしめられることによって、径方向外方に開口して周方向に所定寸法に亘って延びる周状凹溝４６が形成されている。かかる周状凹溝４６の周方向両端部には、中間スリーブ４２の厚さ方向に貫通する連通孔４８がそれぞれ形成されており、本体ゴム弾性体３０のポケット部４４は、連通孔４８を通じて中間スリーブ４２の径方向外方に開口せしめられている。
【００３６】
このような構造とされた一体加硫成形品３８に、アウタ筒金具２８が外挿されている。アウタ筒金具２８は、中間スリーブ４２と略等しい軸方向寸法を有する大径の円筒形状とされており、その内周面には、薄肉のシールゴム層５０が略全体に亘って被着されている。そして、アウタ筒金具２８は、一体加硫成形品３８に外挿せしめられた後、八方絞り加工等が施されて小径化されて一体加硫成形品３８に外嵌固定されている。
【００３７】
これにより、インナ軸金具２６の外周側にアウタ筒金具２８が所定距離を隔てて配設されて、これらインナ軸金具２６とアウタ筒金具２８が本体ゴム弾性体３０によって連結されると共に、中間スリーブ４２の外周面がシールゴム層５０で覆われることによって、ポケット部４４によって、壁部の一部が本体ゴム弾性体３０で形成されて、内部に非圧縮性流体が封入された一対の流体室５２が形成される。かかる一対の流体室５２は、アウタ筒金具２８の周方向で所定距離を隔ててインナ軸金具２６の周りに形成されており、インナ軸金具２６の径方向でインナ軸金具２６を挟んで対向位置せしめられている。更に、周状凹溝４６がシールゴム層５０で覆蓋されることによって、周状凹溝４６の連通孔４８を通じて、一対の流体室５２を相互に連通する第一のオリフィス通路としてのオリフィス通路５４が形成される。そこにおいて、本実施形態におけるオリフィス通路５４は、パワーユニット１２の振れ回り振動の周波数、具体的には、略１０Ｈｚ程度の振動入力に対して、オリフィス通路５４を流動せしめられる流体の共振作用に基づく防振効果が発揮されるようにその長さと断面積が設定されている。
【００３８】
なお、非圧縮性流体の封入は、例えば、一体加硫成形品３８とアウタ筒金具２８の組み付けを、かかる流体中で行うこと等によって行うことが出来る。また、非圧縮性流体としては、水やアルキレングリコール、ポリアルキレングリコール、シリコーン油等が採用され、特に流体の共振作用に基づく防振効果を有効に得るために、粘度が０．１Ｐａ・ｓ以下の低粘性流体が好適に採用される。
【００３９】
このような構造とされた第一の流体封入式防振装置２５は、下方に開口する略カップ形状を有するブラケット３２に厚入固定されており、ブラケット３２の上底部に貫設された貫通孔５６から、インナ軸金具２６が突出せしめられている。また、ブラケット３２には、下端縁部において径方向外方に突出するフランジ状部５７にボルト孔５８が貫設されており、ブラケット３２は、ボルト孔５８を用いて車両ボデーのフレーム２２に固定されるようになっている。そして、インナ軸金具２６が、ボルト等を介してパワーユニット１２のミッションユニット１６に取り付けられる一方、アウタ筒金具２８が、ブラケット３２を介してフレーム２２に取り付けられることによって、リアマウント２４が、パワーユニット１２と車両ボデーの間に装着されることとなる。
【００４０】
そして、かかる装着状態下、インナ軸金具２６とアウタ筒金具２８間に対して、流体室５２、５２が対向する径方向の振動が入力されると、両流体室５２、５２間で相対的な内圧変化が生ぜしめられることとなり、かかる内圧変化に基づいて、オリフィス通路５４を通じての流体流動が生ぜしめられる。その結果、オリフィス通路５４を通じて流動せしめられる流体の共振作用等の流動作用に基づいて、有効な防振効果が発揮される。
【００４１】
特に本実施形態においては、図１に示したように、流体室５２，５２がインナ軸金具２６を挟んで車両の前後方向で対向するようにパワーユニット１２に固定されている。これにより、車両前後方向の振動入力に対して、オリフィス通路５４を流れる流体の流動作用に基づく振動減衰効果が有効に発揮されるようになっている。
【００４２】
このような構造とされたパワーユニットの支持構造１０においては、パワーユニット１２に振れ回り振動が発生すると、パワーユニット１２の車両後方に位置せしめられたミッションユニット１６に、車両前後方向の並進運動を含む振動が生ぜしめられることによって、リアマウント２４に対して、流体室５２，５２が対向する径方向の振動が入力される。これにより、流体室５２，５２に相対的な圧力変動が生ぜしめられて、オリフィス通路５４を通じて流動せしめられる流体の流動作用に基づく振動減衰効果が発揮される。その結果、パワーユニット１２の振れ回り振動が軽減される。
【００４３】
そこにおいて、特に本実施形態におけるパワーユニットの支持構造１０においては、リアマウント２４の流体室５２，５２が車両前後方向で対向せしめられている。そして、振れ回り振動よりも高い周波数域を有するアイドリング振動が入力された場合には、アイドリング振動は上下方向振動であることから、インナ軸金具２６とアウタ筒金具２８が車両上下方向で相対変位せしめられる。従って、流体室５２、５２の相対的な容積変化が抑えられて、オリフィス通路５４における流体流動が殆ど生ぜしめられない。その結果、オリフィス通路５４の実質的な閉塞状態に起因する高動ばね化を招くことが回避され得て、アイドリング振動入力時においても優れた振動絶縁効果を得ることが出来る。特に本実施形態においては、本体ゴム弾性体３０が流体室５２を挟んだ車両上下方向で対称形状とされていることから、アイドリング振動の如き上下方向の振動入力に際する流体室５２、５２の相対的な容積変化がより有効に抑えられており、車両上下方向の振動入力に対する振動絶縁効果がより有効に発揮されるようになっている。
【００４４】
なお、本発明におけるパワーユニットの支持構造において車両後方に配設されるマウントの具体的な構造は、上述の如き構造に限定されるものではない。以下に、車両後方に配設されるマウントの異なる態様を幾つか示すが、本発明がこれらの態様に限定される趣旨ではないことが、理解されるべきである。また、以下の説明において、前記第一の実施形態と実質的に同様の構造とされた部材および部位については、図中に同一の符号を付することにより、詳細な説明を省略する。
【００４５】
図５乃至図７に、本発明の第二の実施形態としてのパワーユニットの支持機構において車両後方に配設されるリア側マウントとしてのリアマウント６０を示す。リアマウント６０は、インナ軸金具２６に対して、一対の一体加硫成形品６２がオリフィス金具６４を挟んで外嵌固定された第一の流体封入式防振装置６６を含んで構成されている。
【００４６】
一対の一体加硫成形品６２、６２は互いに同様の構造とされており、小径円筒形状を有する内側スリーブ６８の外周側に大径円筒形状を有する中間スリーブ７０が径方向外方に離隔して内側スリーブ６８の周りを囲む状態で略同軸上に配設されると共に、これら内側スリーブ６８と中間スリーブ７０の間に部分本体ゴム弾性体７２が介装されて、部分本体ゴム弾性体７２によって弾性的に連結された構造とされている。部分本体ゴム弾性体７２は、略円筒形状とされており、内側スリーブ６８を挟んだ径方向一方（図５中、左右方向）で対向位置せしめられるようにして、軸方向一方に開口する凹状のポケット部７４，７４が一対形成されている。かかる部分本体ゴム弾性体７２の内外周面に内側スリーブ６８と中間スリーブ７０がそれぞれ加硫接着されることによって、一体加硫成形品６２が形成されている。
【００４７】
また、オリフィス金具６４は、略円筒形状を有しており、その軸方向中間部分が全周に亘って径方向外方に突出せしめられることによって、径方向内方に開口して全周に亘って延びる周状凹溝７８が形成されている。かかる周状凹溝７８には、径方向で対向してオリフィス金具６４の厚さ方向に貫通する連通孔８０が形成されている。
【００４８】
そして、一対の一体加硫成形品６２の内側スリーブ６８でオリフィス金具６４を軸方向で挟んだ状態で、一対の内側スリーブ６８とオリフィス金具６４が、インナ軸金具２６の嵌合部３４に外嵌固定されている。
【００４９】
さらに、一対の一体加硫成形品６２の中間スリーブ７０は、軸方向で互いに当接せしめられており、これら中間スリーブ７０に対して、アウタ筒金具２８が外挿されて、アウタ筒金具２８の軸方向両端部が径方向内方にかしめられることによって、中間スリーブ７０にアウタ筒金具２８が外嵌固定されている。
【００５０】
これにより、インナ軸金具２６とアウタ筒金具２８が一対の部分本体ゴム弾性体７２で連結されており、本実施形態においては、一対の部分本体ゴム弾性体７２によって本体ゴム弾性体８２が形成されている。なお、本体ゴム弾性体８２は、一対の部分本体ゴム弾性体７２が重ね合わせ面間で互いに水密に加硫接着されて形成されている。
【００５１】
さらに、一方の一体加硫成形品６２に形成されたポケット部７４が、他方の一体加硫成形品６２に形成されたポケット部７４に対して上下方向で対向せしめられており、互いに上下方向で対向せしめられた一対のポケット部７４によって、内部に非圧縮性流体が封入された流体室８４が形成されている。これにより、本体ゴム弾性体８２の内部には、インナ軸金具２６を挟んで径方向で対向する一対の流体室８４が形成されている。かかる本体ゴム弾性体８２は、パワーユニット１２の分担支持荷重が及ぼされた状態で、流体室８４を挟んで車両上下方向で対称形状となるようにされている。なお、非圧縮性流体の封入は、例えば、一対の一体加硫成形品６２とオリフィス金具６４、およびインナ軸金具２６とアウタ筒金具２８の互いの組み付けを、非圧縮性流体中で行うこと等によって行うことが出来る。そして、オリフィス金具６４の周状凹溝７８がインナ軸金具２６で覆蓋されることによって、周状凹溝７８の連通孔８０を通じて、一対の流体室８４を相互に連通する第一のオリフィス通路としてのオリフィス通路８６が形成される。かかるオリフィス通路８６は、前記第一の実施形態と同様に、パワーユニット１２の振れ回り振動の周波数域にチューニングされる。
【００５２】
このような構造とされたリアマウント６０は、前記第一の実施形態と同様に、一対の流体室８４が車両前後方向でインナ軸金具２６を挟んで対向位置するように（図５における左右方向が車両前後方向となるように）、パワーユニット１２のミッションユニット１６に組み付けられる。
【００５３】
そして、本実施形態におけるリアマウント６０によっても、車両前後方向、即ち、流体室８４が対向する径方向の振動入力に対してオリフィス通路８６を通じての流体流動に基づく振動減衰効果を発揮することが出来ることから、振れ回り振動に対する有効な防振効果を発揮することが出来る。それと共に、アイドリング振動等の上下方向の振動入力に対する流体室８４、８４の相対的な容積変化が抑えられてオリフィス通路８６の実質的な閉塞状態に起因する高動ばね化も回避され得ることから、アイドリング振動等に対しても有効な振動絶縁効果を得ることが出来る。
【００５４】
また、図８に、本発明の第三の実施形態としてのパワーユニットの支持機構において車両後方に配設されるリア側マウントとしてのリアマウント９０を示す。リアマウント９０は、前記第一の実施形態における第一の流体封入式防振装置２５の軸方向下方に、第二の流体封入式防振装置９２が組み付けられた構造とされている。
【００５５】
第二の流体封入式防振装置９２は、裁頭円錐台形状を有する第一の入力部材としての形状保持金具９４と、筒形状を有する第二の入力部材としての筒金具９６が連結ゴム弾性体９８で連結された構造とされている。筒金具９６の軸方向上方には、上方に向かって拡開するテーパ状部９９が形成されていると共に、上端縁部には径方向外方に突出するフランジ状部１００が形成されている一方、軸方向下端部には、径方向外方に突出する段差部１０２と、段差部１０２の外周縁部から軸方向下方に延びる大径のかしめ筒部１０４が一体形成されている。
【００５６】
そして、筒金具９６の上側開口部の上方に離隔して形状保持金具９４が同軸上に配設されて、これら筒金具９６と形状保持金具９４が連結ゴム弾性体９８で互いに弾性的に連結されている。連結ゴム弾性体９８は、円錐台形状を有するゴム弾性体で形成されており、大径側端面に開口する大径のすり鉢状の開口凹所が形成されている。そして、連結ゴム弾性体９８の小径側端部には、形状保持金具９４が埋め込まれて加硫接着されている一方、大径側端部外周面に、筒金具９６のテーパ状部９９の内周面が重ね合わされて加硫接着されている。これにより、連結ゴム弾性体９８は、形状保持金具９４と筒金具９６を備えた一体加硫成形品とされており、筒金具９６の軸方向上方の開口部が、連結ゴム弾性体９８で流体密に覆蓋されている。また、筒金具９６における段差部１０２よりも上方の内周面には、連結ゴム弾性体９８が下方に延び出されることによって形成されたシールゴム層１０７が被着形成されている。
【００５７】
さらに、筒金具９６には、仕切部材としての仕切金具１０８および可撓性膜としてのダイヤフラム１１０が組み付けられている。
【００５８】
仕切金具１０８は、仕切金具本体１１２と底金具１１４を含んで構成されている。仕切金具本体１１２は、薄肉の金属板にプレス加工を施す等して形成された略円板形状の部材であって、径方向外周部分には、軸方向上方に突出して軸方向下方および径方向外方に開口せしめられた周溝１１６が周方向で所定の長さに亘って連続的に形成されている。また、底金具１１４は薄肉の略円形平板形状とされており、仕切金具本体１１２よりやや大きな径寸法を有している。そして、仕切金具本体１１２に対して底金具１１４が同一中心軸上で下方から重ね合わされることによって、仕切金具１０８が形成されている。
【００５９】
一方、ダイヤフラム１１０は、変形容易な薄肉のゴム弾性膜によって形成されており、ダイヤフラム１１０の外周縁部には、円環プレート形状の支持金具１１８が加硫接着されている。
【００６０】
そして、これら仕切金具１０８とダイヤフラム１１０が、筒金具９６に組み付けられる。具体的には、仕切金具１０８が筒金具９６のかしめ筒部１０４に下方から挿入されて、底金具１１４の外周縁部が筒金具９６の段差部１０２に下方から重ね合わされる。更に、ダイヤフラム１１０がかしめ筒部１０４に下方から挿入されて、支持金具１１８が仕切金具１０８の底金具１１４に対して下方から重ね合わされる。そして、かかる状態でかしめ筒部１０４の下端部がかしめられることによって、これら仕切金具１０８とダイヤフラム１１０が筒金具９６にかしめ固定されている。
【００６１】
これにより、筒金具９６の下側開口部がダイヤフラム１１０で流体密に覆蓋されて、連結ゴム弾性体９８とダイヤフラム１１０の対向面間には、非圧縮性流体が封入された流体封入領域が形成されている。そして、かかる流体封入領域は仕切金具１０８で上下両側に二分されており、仕切金具１０８の上方には、壁部の一部が連結ゴム弾性体９８で形成されて振動入力時に圧力変動が生ぜしめられる受圧室１２０が形成される一方、仕切金具１０８の下方には、壁部の一部がダイヤフラム１１０で形成されてダイヤフラム１１０の変形に基づいて容積変化が容易に許容される平衡室１２２が形成される。
【００６２】
さらに、仕切金具１０８において、仕切金具本体１１２に形成された周溝１１６の下方の開口部が底金具１１４で覆蓋されると共に、周溝１１６の径方向外方の開口部がシールゴム層１０７で覆蓋されることによって、周溝１１６を用いて周方向に所定長さで延びるトンネル状の流路が形成されている。そして、かかるトンネル状の流路の周方向一方の端部が、仕切金具本体１１２の周溝１１６の内周壁部を径方向で貫通する連通孔１２４を通じて受圧室１２０に連通せしめられている一方、トンネル状の流路の周方向他方の端部が、底金具１１４の厚さ方向で貫通する連通孔１２６を通じて平衡室１２２に連通せしめられている。これにより、周溝１１６を用いて、受圧室１２０と平衡室１２２を相互に連通する第二のオリフィス通路としてのオリフィス通路１２８が形成されている。なお、本実施形態では、オリフィス通路１２８の通路長や断面積を調節して、オリフィス通路１２８を通じて流動せしめられる流体の共振作用等に基づく高減衰効果が、アイドリング振動に相当する略２０Ｈｚ〜略４０Ｈｚの周波数域の振動入力に対して発揮されるように設定されている。
【００６３】
そして、このような構造とされた第二の流体封入式防振装置９２が、前記第一の実施形態における第一の流体封入式防振装置２５に対して同一中心軸上で下方に組み付けられる。本実施形態においては、第一の流体封入式防振装置２５が、有底円筒形状を有するカバー金具１３０に圧入されて、カバー金具１３０の上底部に貫設された貫通孔５６からインナ軸金具２６が突出せしめられると共に、第二の流体封入式防振装置９２がカバー金具１３０に挿入されて、第二の流体封入式防振装置９２のフランジ状部１００が第一の流体封入式防振装置２５の下方から重ね合わされる。そして、カバー金具１３０の下端部がかしめられることによって、カバー金具１３０を介してアウタ筒金具２８に対して筒金具９６が組み付けられて、これら第一の流体封入式防振装置２５と第二の流体封入式防振装置９２が同一中心軸上で重ね合わされた状態で互いに組み付けられる。
【００６４】
以上のようにしてリアマウント９０が構成されており、リアマウント９０は、例えば円筒形状を有するブラケット１３２に挿入されて溶接等で固定されると共に、ブラケット１３２の下端縁部において径方向外方に突出するフランジ状部に貫設されたボルト孔５８を用いてブラケット１３２がフレーム２２に固定される一方、インナ軸金具２６がパワーユニット１２に固定されることによって、パワーユニット１２と車両ボデーの間に介装されることとなる。なお、本実施形態におけるリアマウント９０においても、第一の流体封入式防振装置２５の一対の流体室５２，５２が車両前後方向でインナ軸金具２６を挟んで対向位置するようにパワーユニット１２に固定される。
【００６５】
ここにおいて、第一の流体封入式防振装置２５のインナ軸金具２６は第二の流体封入式防振装置９２の連結ゴム弾性体９８を介して形状保持金具９４と当接せしめられており、本実施形態においては、パワーユニット１２の分担支持荷重を、第一の流体封入式防振装置２５の本体ゴム弾性体３０と第二の流体封入式防振装置９２の連結ゴム弾性体９８で支持することとなる。そして、本体ゴム弾性体３０の上下方向の弾性変形が、連結ゴム弾性体９８に及ぼされるようになっている。また、前記第一の実施形態と同様に、第一の流体封入式防振装置２５の本体ゴム弾性体３０は、パワーユニット１２の分担支持荷重が及ぼされた状態で、流体室５２を挟んだ車両上下方向で略対称形状となるようにされている。
【００６６】
このような構造とされたリアマウント９０を用いれば、振れ回り振動の如き車両前後方向の並進運動を伴う振動が入力された場合には、形状保持金具９４は殆ど変位せしめられることなく、インナ軸金具２６のみが車両前後方向に変位せしめられる。これにより、第二の流体封入式防振装置９２に設けられたオリフィス通路１２８には流体流動は殆ど生ぜしめられることなく、第一の流体封入式防振装置２５に設けられたオリフィス通路５４のみに流体流動を生ぜしめて、第一の流体封入式防振装置２５による振動減衰効果を発揮せしめることが出来る。
【００６７】
一方、アイドリング振動の如き上下方向の振動が入力された場合には、第一の流体封入式防振装置２５における本体ゴム弾性体３０の上下方向の弾性変形が第二の流体封入式防振装置９２の連結ゴム弾性体９８に及ぼされて、受圧室１２０と平衡室１２２の間に相対的な圧力変動が惹起される。ここにおいて、本体ゴム弾性体３０に形成された両流体室５２、５２は、本体ゴム弾性体３０の上下方向の弾性変形では相対的な容積変化が殆ど生ぜしめられないことから、オリフィス通路５４には流体流動は殆ど生ぜしめられることなく、オリフィス通路１２８のみに流体流動を生ぜしめて、第二の流体封入式防振装置９２による振動減衰効果を発揮せしめることが出来る。
【００６８】
これにより、本実施形態によれば、アイドリング振動に対して第二の流体封入式防振装置９２による高減衰効果を用いることによって、アイドリング振動に対するより有効な防振効果を得ることが出来る。特に本実施形態においては、振れ回り振動に対して高減衰効果を発揮する一対の流体室５２、５２とそれらを連通するオリフィス通路５４が第一の流体封入式防振装置２５に設けられる一方、アイドリング振動に対して高減衰効果を発揮する受圧室１２０および平衡室１２２とこれらを連通するオリフィス通路１２８が第二の流体封入式防振装置９２に設けられて、互いに独立して形成されている。これにより、振れ回り振動とアイドリング振動に対する防振特性を各別に精度良くチューニングすることが出来て、振れ回り振動およびアイドリング振動の両方に対して有効な高減衰効果を発揮することが出来る。
【００６９】
次に、本発明に従う構造とされたパワーユニットの支持機構による防振効果を確認するために行なった試験の結果を、以下に示す。
【００７０】
先ず、パワーユニットに生じる剛体振動モードを確認するために、図９に示すように、フロントマウントとして流体封入式防振装置を用い、リアマウントとしてソリッドタイプのゴムマウントを用いた従来構造に従うパワーユニットの支持構造を備えた車両１４０に対して、油圧加振機１４２を用いて前タイヤ１４４の設置面から車両ボデーを加振せしめて、周波数を次第に変化させることによって、剛体振動モードを確認した。
【００７１】
図１０に、パワーユニットにおける各マウント取付部位での車両上下方向の振動レベルの測定結果を示すと共に、図１１に、車両左右方向での振動レベルの測定結果を示す。これらから明らかなように、リアマウントの取付部位において、１０Ｈｚ付近で剛体共振が発生すること、即ち、振れ回り振動が１０Ｈｚ付近で発生することが確認された。
【００７２】
次に、本発明に従う構造とされたパワーユニットの支持構造を実施例とすると共に、従来構造に従うパワーユニットの支持構造を比較例として、パワーユニットのリアマウント取付部位における左右方向の振動レベルを測定した結果を図１２に、上下方向の振動レベルを測定した結果を図１３に示す。なお、本試験においては、実施例として、前記第三の実施形態に従う構造とされたリアマウントを用いた。一方、比較例としては、従来公知のソリッドタイプのゴムマウントを用いた。なお、フロントマウントとしては、実施例および比較例の何れについても、同様の構造を備えた流体封入式防振装置を用いた。
【００７３】
図１２から明らかなように、本発明に従う構造とされたパワーユニットの支持構造によれば、振れ回り振動に相当する１０Ｈｚ付近で、左右方向の振動レベルを大幅に低減出来ることが確認された。更に、図１３から明らかなように、本発明に従う構造とされたパワーユニットの支持機構は、上下方向の防振効果についても、従来構造に比してやや良好な結果を示している。これらの結果から、本発明に従う構造とされたパワーユニットの支持構造によれば、上下方向の防振効果を悪化せしめることなしに振れ回り振動を大幅に低減出来ることが確認された。
【００７４】
なお、図１４に、振れ回り振動に相当する１０Ｈｚ付近の振動入力時における、パワーユニットのフロントマウントおよびリアマウント取付部位のそれぞれについて左右方向の振動レベルを測定した結果を示す。なお、図１４における縦軸は車両左右方向のマウント取付位置関係を示し、横軸は車両前後方向のマウント取付位置関係を示す。そして、図１４中の各円の半径がフロントマウントおよびリアマウントの取付位置における振動レベルを示しており、円の半径が大きい程振動レベルが大きいことを示す。
【００７５】
図１４からも、本発明に従う構造とされたパワーユニットの支持構造を用いることによって、従来構造に比してリアマウント取付位置における左右方向の振動レベルを大幅に低減出来ることが確認された。更に、図１４から、本発明に従う構造とされたパワーユニットの支持構造を用いれば、フロントマウントとして同じ構造のマウントを用いたにも関わらず、パワーユニットのフロント側についても、左右方向振動を低減出来ることが明らかとなり、パワーユニットの全体的な振動を低減し得ることが確認された。
【００７６】
次に、リアマウントとして、従来構造に従うソリッドタイプのゴムマウントを用いたものを比較例１、車両左右方向の振動入力に対して振動減衰効果が発揮されるようにした流体封入式防振装置を用いたものを比較例２、本発明に従い、車両前後方向の振動入力に対して振動減衰効果が発揮されるようにした流体封入式防振装置を用いたものを実施例として、図１５に、振れ回り振動に相当する周波数域における防振効果を測定した結果を示すと共に、図１６に、アイドリング振動に相当する周波数域における防振効果を測定した結果を示す。なお、図１５および図１６に示す振動レベルは、車内フロアに生じる振動レベルを測定したものである。
【００７７】
図１５から、振れ回り振動に相当する１１Ｈｚ付近の振動入力に対しては、本発明の実施例が、比較例２と同等であって、比較例１よりも優れた防振効果を発揮し得ることが認められる。一方、アイドリング振動に相当する４０Ｈｚ付近の振動入力に対しては、本発明の実施例が、比較例１と同等であって、比較例２よりも優れた防振効果を発揮し得ることが認められる。従って、これら図１５及び１６に表された結果から、振れ回り振動とアイドリング振動との両方の振動に対する総合的な防振性能を評価すると、比較例１及び比較例２に比して、本発明の実施例のエンジンマウントが優れた防振性能を奏し得ることが理解できる。
【００７８】
以上、本発明の幾つかの実施形態について説明してきたが、本発明は、これら実施形態における具体的な記載によって、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【００７９】
例えば、リア側マウントに用いられる流体封入式防振装置には、従来公知の各構造が適宜に採用可能であって、図１７に前記第一の実施形態におけるリアマウント２４を例に示すように、本体ゴム弾性体３０に、上方に開口する凹状のすぐり部１５０を設ける等しても良い。このようにすれば、本体ゴム弾性体３０に衝撃的な振動が入力された場合には、本体ゴム弾性体３０においてすぐり部１５０が形成されて薄肉とされた部位が屈曲状に弾性変形せしめられることによって、本体ゴム弾性体３０の内部応力を有利に分散することが出来て、本体ゴム弾性体３０の耐久性を向上することが出来る。
【００８０】
また、前記各実施形態における第一の流体封入式防振装置２５、６６は、何れも、第一の取付部材として中実のインナ軸金具２６が用いられていたが、例えば、第一の取付部材として、筒形状を有する中空の筒金具を用いる等しても良い。
【００８１】
更にまた、本発明に係るパワーユニットの支持構造において、車両前方の２箇所に配設されるエンジンマウントとして従来公知の各種構造のものが採用されることは勿論であり、車両後方の１箇所に配設されるエンジンマウントとしても、前述のとおり流体封入式の各種構造のものが採用可能である。そこにおいて、一つの箇所に装着されるエンジンマウントとして、例えば実質的に独立した或いは完全に独立して並列的に装着された複数のエンジンマウントを採用することも可能である。
【００８２】
また、本発明で採用されるエンジンマウントには、要求される他の支持特性や防振特性等に応じて各種設計変更が許容され得る。具体的に例示すると、第一の取付部材を挟んで車両左右方向で対向位置する一対の流体室とそれら流体室を相互に連通する流体流路を追加形成し、かかる流体流路を通じての流体流動に基づいて車両左右方向の防振特性の向上を図ることも可能であるし、或いは、第一の取付部材を挟んで車両左右方向で対向位置する部分において本体ゴム弾性体の容積を調節するための肉抜凹所や軸方向に貫通するすぐり孔等を形成して車両左右方向のばね剛性を小さく調節すること等も可能である。また、車両前後方向で対向位置せしめられた流体室内において車両上下方向の中間部分を狭窄する狭窄部材を設けて、該狭窄部を通じて流体室内で上下に流動せしめられる流体流動作用に基づいて、車両上下方向の防振効果が発揮されるようにする等しても良い。
【００８３】
更にまた、前記実施形態に例示のエンジンマウント２４，６０，９０の具体的構造についても、製作を容易としたりオリフィスチューニング自由度向上等の何等かの目的で適宜の設計変更が許容される。具体的に例示すると、第一の実施形態のエンジンマウント２４において、本体ゴム弾性体の成形容易化とオリフィス長さや断面積の設計自由度の向上等の目的で、本体ゴム弾性体３０の外周面に加硫接着された中間スリーブ４２とは別体のオリフィス部材を採用して、該オリフィス部材を中間スリーブ４２とアウタ筒金具２８との間を周方向に延びるようにして組み付けても良い。また、第三の実施形態のエンジンマウント９０においては、車両上下方向の入力振動が第一の流体封入式防振装置２５の防振特性に悪影響を及ぼすことを回避するために、第一の流体封入式防振装置２５と実質的に別体の第二の流体封入式防振装置９２を採用していたが、要求特性等に応じて、第一の流体封入式防振装置２５の本体ゴム弾性体３０によって第二の流体封入式防振装置９２の連結ゴム弾性体を構成しても良い。
【００８４】
また、本発明は、防振装置がエンジンユニットの重心よりも鉛直下方に配設される下側支持タイプのエンジン支持機構の他、エンジンユニットの重心位置よりも鉛直上方に防振装置が配設される吊下げタイプのエンジン支持機構にも適用可能である。
【００８５】
さらに、本発明が適用されるパワーユニットにおける燃焼室の配置形態や燃焼機構等のエンジン形式は何等限定されるものではなく、本発明は、例えば直列式（Ｌ型）、Ｖ型、４気筒や６気筒、ガソリンエンジン、ディーゼルエンジン等各種エンジン形式に適用可能である。
【図面の簡単な説明】
【００８６】
【図１】本発明の第一の実施形態としてのパワーユニットの支持構造を概略的に示す側面説明図。
【図２】同パワーユニットの支持構造に用いられるリア側マウントの縦断面図であり、図４におけるＩＩ−ＩＩ断面に相当する断面図。
【図３】同リア側マウントの上面図。
【図４】同リア側マウントを構成する流体封入式防振装置の横断面図であって、図２におけるＩＶ−ＩＶ断面に相当する断面図。
【図５】第二の実施形態としてのリア側マウントを示す縦断面図であって、図７におけるＶ−Ｖ断面に相当する断面図。
【図６】同リア側マウントの上面図。
【図７】同リア側マウントを構成する流体封入式防振装置の横断面図であって、図５におけるＶＩＩ−ＶＩＩ断面に相当する断面図。
【図８】第三の実施形態としてのリア側マウントを示す縦断面図。
【図９】試験方法の説明図。
【図１０】パワーユニットにおける各マウント取付部位での車両上下方向の振動レベルの測定結果を示すグラフ。
【図１１】パワーユニットにおける各マウント取付部位での車両左右方向の振動レベルの測定結果を示すグラフ。
【図１２】パワーユニットのリアマウント取付部位における左右方向の振動レベルの測定結果を示すグラフ。
【図１３】パワーユニットのリアマウント取付部位における上下方向の振動レベルの測定結果を示すグラフ。
【図１４】振れ回り振動入力時における左右方向の振動レベルの測定結果を示すグラフ。
【図１５】振れ回り振動入力時における防振効果の測定結果を示すグラフ。
【図１６】アイドリング振動入力時における防振効果の測定結果を示すグラフ。
【図１７】リア側マウントに用いられる流体封入式防振装置の異なる態様を示す縦断面図。
【符号の説明】
【００８７】
１０：パワーユニットの支持構造、１２：パワーユニット、１４：エンジンユニット、１６：ミッションユニット、２０：フロントマウント、２２：フレーム、２４：リアマウント、２５：第一の流体封入式防振装置、２６：インナ軸金具、２８：アウタ筒金具、３０：本体ゴム弾性体、５２：流体室、５４：オリフィス通路
【図１】
2010006339.tif 000003
【図２】
2010006339.tif 000004
【図３】
2010006339.tif 000005
【図４】
2010006339.tif 000006
【図５】
2010006339.tif 000007
【図６】
2010006339.tif 000008
【図７】
2010006339.tif 000009
【図８】
2010006339.tif 000010
【図９】
2010006339.tif 000011
【図１０】
2010006339.tif 000012
【図１１】
2010006339.tif 000013
【図１２】
2010006339.tif 000014
【図１３】
2010006339.tif 000015
【図１４】
2010006339.tif 000016
【図１５】
2010006339.tif 000017
【図１６】
2010006339.tif 000018
【図１７】
2010006339.tif 000019